(57)【要約】【課題】  缶の内容物をその残存量が最小限に抑制されるように飲み干す、あるいは注ぐことができるとともに、衛生上好ましい缶蓋を提供することができ、また缶内圧の上昇による内容物の噴出を防止することができ、さらに顧客吸引力を具備させることができる。【解決手段】  中央部を占めるとともに、円板状に形成されたセンターパネル部１１と、センターパネル部１１の外周縁に連設された環状溝部１２とを備え、センターパネル部１１の上面に、上方に向って凸とされたリベット１５と、スコア１６により画成された開口部１７とが形成され、開口部１７の上に一端部１８ａ側が重なるようにリベット１５に固着されたタブ１８を備える缶蓋１０であって、環状溝部１２のうち、少なくとも開口部１７と対応する対応部分２１は、缶蓋上面における溝深さが他より浅くされるとともに、センターパネル部１１の下面からの突出長さが他より小さくされている。【選択図】    図１
2006069570.tif 000002
【特許請求の範囲】
【請求項１】
中央部を占めるとともに、円板状に形成されたセンターパネル部と、該センターパネル部の外周縁に連設された環状溝部と、該環状溝部の外周縁部から径方向外方へ向けて立上がるチャック壁部と、該チャック壁部の外周縁に連設され、その末端部が径方向内方へ向けて下方に折り曲げられたシーミングパネル部とを備え、
前記センターパネル部の上面に、上方に向って凸とされたリベットと、スコアにより画成された開口部とが形成され、該開口部の上に一端部側が重なるように前記リベットに固着されたタブを備える缶蓋であって、
前記環状溝部のうち、少なくとも前記開口部と対応する対応部分は、缶蓋上面における溝深さが該対応部分を除く他部より浅くされるとともに、前記センターパネル部の下面からの突出長さが前記他部より小さくされていることを特徴とする缶蓋。
【請求項２】
請求項１記載の缶蓋において、
前記環状溝部の前記対応部分は、前記他部との前記溝深さの差および前記突出長さの差が、０．３ｍｍ以上１．８ｍｍ以下とされるとともに、前記センターパネル部の径方向中央部と、前記対応部分の周方向における両端部とをそれぞれ結ぶ直線が、前記センターパネル部の上面に沿った方向でなす角度が、９０°以下とされて形成されていることを特徴とする缶蓋。
【請求項３】
請求項１記載の缶蓋において、
前記環状溝部は、前記センターパネル部の径方向中央部を挟んで前記対応部分と対向する対向部分が、前記対応部分の溝深さおよび前記突出長さと略同一とされていることを特徴とする缶蓋。
【請求項４】
請求項３記載の缶蓋において、
前記環状溝部の前記対応部分および前記対向部分は、該対応部分および対向部分を除く前記環状溝部との前記溝深さの差および前記突出長さの差が、０．３ｍｍ以上１．８ｍｍ以下とされるとともに、前記センターパネル部の径方向中央部と、前記対応部分の周方向における両端部とをそれぞれ結ぶ直線が、前記センターパネル部の上面に沿った方向でなす角度、および前記径方向中央部と、前記対向部分の周方向における両端部とをそれぞれ結ぶ直線が、前記センターパネル部の上面に沿った方向でなす角度が、９０°以下とされて形成されていることを特徴とする缶蓋。
【請求項５】
中央部を占めるとともに、円板状に形成されたセンターパネル部と、該センターパネル部の外周縁に連設された環状溝部と、該環状溝部の外周縁部から径方向外方へ向けて立上がるチャック壁部と、該チャック壁部の外周縁に連設され、その末端部が径方向内方へ向けて下方に折り曲げられたシーミングパネル部とを備え、
前記センターパネル部の上面に、上方に向って凸とされたリベットと、スコアにより画成された開口部とが形成され、該開口部の上に一端部側が重なるように前記リベットに固着されたタブを備える缶蓋であって、
前記環状溝部のうち、少なくとも前記開口部と対応する対応部分は、該対応部分を除く他部における溝深さおよび前記センターパネル部の下面からの突出長さと略同一とされた凹部と、前記他部より溝深さが浅く、かつ前記突出長さが小さくされた凸部とが交互に連設された凹凸部とされていることを特徴とする缶蓋。
【請求項６】
請求項５記載の缶蓋において、
前記凸部と前記凹部との、前記溝深さの差および前記突出長さの差は０．３ｍｍ以上１．８ｍｍ以下とされ、前記対応部分は、前記センターパネル部の径方向中央部と、前記対応部分の周方向における両端部とをそれぞれ結ぶ直線が、前記センターパネル部の上面に沿った方向でなす角度が、９０°以下とされていることを特徴とする缶蓋。
【発明の詳細な説明】
【技術分野】
【０００１】
本発明は、缶体の開口部に巻締められる缶蓋に関するものである。
【背景技術】
【０００２】
この種の缶蓋は一般に、例えば下記特許文献１に示されるように、中央部を占めるとともに、円板状に形成されたセンターパネル部と、該センターパネル部の外周縁に連設された環状溝部と、該環状溝部の外周縁部から径方向外方へ向けて立上がるチャック壁部と、該チャック壁部の外周縁に連設され、その末端部が径方向内方へ向けて下方に折り曲げられたシーミングパネル部とを備え、前記センターパネル部の上面に、上方に向って凸とされたリベットと、スコアにより画成された開口部とが形成され、該開口部の上に一端部側が重なるように前記リベットに固着されたタブを備える概略構成とされている。このように構成された缶蓋は、内容物が充填された有底筒状の缶体の開口端部に前記シーミングパネル部が巻き締められることにより、前記開口端部に固着されて、いわゆる缶が構成されている。そして、この種の缶は、前記タブの他端部を缶軸方向上方へ引き上げることにより、前記開口部を前記タブの前記一端部により缶軸方向下方へ向けて押圧し、前記スコアを破断させて前記開口部を開口させることによって、開栓されるようになっている。
【特許文献１】登録実用新案第２５０８６３７号公報
【発明の開示】
【発明が解決しようとする課題】
【０００３】
ところで従来では、缶の内容物を飲んだり、あるいは別の容器に注ぐことにより、この内容物が図３に２点鎖線で示すように残り僅かになると、缶を急角度に傾けたとしても、この内容物が前記環状溝部の下面側にせき止められることにより、缶蓋の前記環状溝部および前記チャック壁部と缶体の開口端部との間に、一般に６ｃｃ〜９ｃｃの内容物が溜まって缶に残存していた。この場合、需要者がこの缶を廃棄したときに、前記残存した内容物が前記開口部から漏出することにより周囲を汚したり、あるいは前記残存した内容物が缶体の内部で腐食することにより悪臭を放ったり、周囲環境を悪化させる虞があった。
また、内容物を飲む際、特に複数回少量ずつ飲む際に、前記環状溝部のうち前記開口部と対応する部分の上面側に内容物が溜まり、需要者によっては衛生上好ましくないと感ずることがあった。
【０００４】
ところで、缶の内圧が過度に上昇すると、缶蓋の前記センターパネル部が缶軸方向上方へ向けて押し上げられ、いわゆるバックリングが発生することになるが、この際に、前記センターパネル部の外周縁部における１箇所若しくは複数箇所が部分的に缶軸方向上方へ向けて突起する、いわゆる角出しが発生する場合があった。この場合において、前記角出しが前記開口部を画成するスコアの近傍に発生すると、前記角出しと同時に前記スコアが破断されることになり、内容物が噴出するという問題があった。
また、この種の缶は、近年特に需要者の購買意欲を喚起させる顧客吸引力を具備することが要求されており、このような要求にも応える必要がある。
【０００５】
本発明は、このような事情を考慮してなされたもので、その第１の目的は、缶の内容物をその残存量が最小限に抑制されるように飲み干す、あるいは注ぐことができるとともに、衛生上好ましい缶蓋を提供することにある。第２の目的は、缶内圧の上昇による内容物の噴出を防止することができる缶蓋を提供することにある。第３の目的は、顧客吸引力を具備させることができる缶蓋を提供することにある。
【課題を解決するための手段】
【０００６】
このような課題を解決して、前記目的を達成するために、請求項１に係る発明は、中央部を占めるとともに、円板状に形成されたセンターパネル部と、該センターパネル部の外周縁に連設された環状溝部と、該環状溝部の外周縁部から径方向外方へ向けて立上がるチャック壁部と、該チャック壁部の外周縁に連設され、その末端部が径方向内方へ向けて下方に折り曲げられたシーミングパネル部とを備え、前記センターパネル部の上面に、上方に向って凸とされたリベットと、スコアにより画成された開口部とが形成され、該開口部の上に一端部側が重なるように前記リベットに固着されたタブを備える缶蓋であって、前記環状溝部のうち、少なくとも前記開口部と対応する対応部分は、缶蓋上面における溝深さが該対応部分を除く他部より浅くされるとともに、前記センターパネル部の下面からの突出長さが前記他部より小さくされていることを特徴とする。
【０００７】
請求項２に係る発明は、請求項１記載の缶蓋において、前記環状溝部の前記対応部分は、前記他部との前記溝深さの差および前記突出長さの差が、０．３ｍｍ以上１．８ｍｍ以下とされるとともに、前記センターパネル部の径方向中央部と、前記対応部分の周方向における両端部とをそれぞれ結ぶ直線が、前記センターパネル部の上面に沿った方向でなす角度が、９０°以下とされて形成されていることを特徴とする。
【０００８】
これらの発明では、前記対応部分の前記センターパネル部下面からの突出長さが、前記他部より小さくされているので、この缶蓋が固着された缶において、その内容物を飲んだり、別の容器に注ぐ際に、この内容物が環状溝部の下面にせき止められることを抑制することができる。従って、内容物の残存量を最小限に抑えることが可能になり、この缶を廃棄する場所の周囲環境が悪化することを抑制することができる。また、前記対応部分の缶蓋上面における溝深さが前記他部より浅くされているので、内容物を飲む際に、特に複数回少量ずつ飲む際に、環状溝部に溜まる内容物の量を最小限に抑制することが可能になり、衛生上良好な缶蓋を提供することができる。
【０００９】
ここで、前記対応部分の周方向における両端部を、前記開口部を前記環状溝部に投影したときの投影領域の周方向における外方に位置させるのが望ましい。この場合、未開封状態にある缶内圧が過度に上昇しても、内容物が噴出することを抑制することができる。すなわち、環状溝部に前記対応部分を配したことにより、缶蓋上面のうち最も角出しが発生し易い個所が前記対応部分の周方向における両端部となり、また、この両端部を前記投影領域の外方に位置させているので、角出しの発生によって前記スコアが破断され、その内容物が噴出することを抑制することができる。
【００１０】
請求項３に係る発明は、請求項１記載の缶蓋において、前記環状溝部は、前記センターパネル部の径方向中央部を挟んで前記対応部分と対向する対向部分が、前記対応部分の溝深さおよび前記突出長さと略同一とされていることを特徴とする。
【００１１】
請求項４に係る発明は、請求項３記載の缶蓋において、前記環状溝部の前記対応部分および前記対向部分は、該対応部分および対向部分を除く前記環状溝部との前記溝深さの差および前記突出長さの差が、０．３ｍｍ以上１．８ｍｍ以下とされるとともに、前記センターパネル部の径方向中央部と、前記対応部分の周方向における両端部とをそれぞれ結ぶ直線が、前記センターパネル部の上面に沿った方向でなす角度、および前記径方向中央部と、前記対向部分の周方向における両端部とをそれぞれ結ぶ直線が、前記センターパネル部の上面に沿った方向でなす角度が、９０°以下とされて形成されていることを特徴とする。
【００１２】
これらの発明では、前記環状溝部に前記対応部分のみならず前記対向部分も配されているので、前述した作用効果に加えて、この缶蓋が固着された未開封状態にある缶において、缶内圧が過度に上昇した際、まず前記対応部分および前記対向部分のいずれか一方の両端部に角出しが発生し、その後、さらに缶内圧が上昇すると、缶蓋はその内圧に耐えることなく、他方の両端部に角出しが発生することになる。その結果、缶蓋の上面の略全体が缶軸方向上方へ膨出し、缶内部の体積が増大するので、その内圧を低下させることが可能になり、缶蓋上面が破断して、内容物が噴出することを確実に防止することができる。つまり、一旦角出しが発生した後に、缶蓋がこの形状を維持するように内圧に耐えようとすると、前記角出しの部分が破断して内容物が噴出し易くなるが、本発明では、缶蓋を内圧に耐えさせることなく、良好かつ確実に膨出変形させることが可能になる。
【００１３】
請求項５に係る発明は、中央部を占めるとともに、円板状に形成されたセンターパネル部と、該センターパネル部の外周縁に連設された環状溝部と、該環状溝部の外周縁部から径方向外方へ向けて立上がるチャック壁部と、該チャック壁部の外周縁に連設され、その末端部が径方向内方へ向けて下方に折り曲げられたシーミングパネル部とを備え、前記センターパネル部の上面に、上方に向って凸とされたリベットと、スコアにより画成された開口部とが形成され、該開口部の上に一端部側が重なるように前記リベットに固着されたタブを備える缶蓋であって、前記環状溝部のうち、少なくとも前記開口部と対応する対応部分は、該対応部分を除く他部における溝深さおよび前記センターパネル部の下面からの突出長さと略同一とされた凹部と、前記他部より溝深さが浅く、かつ前記突出長さが小さくされた凸部とが交互に連設された凹凸部とされていることを特徴とする。
【００１４】
請求項６に係る発明は、請求項５記載の缶蓋において、前記凸部と前記凹部との、前記溝深さの差および前記突出長さの差は０．３ｍｍ以上１．８ｍｍ以下とされ、前記対応部分は、前記センターパネル部の径方向中央部と、前記対応部分の周方向における両端部とをそれぞれ結ぶ直線が、前記センターパネル部の上面に沿った方向でなす角度が、９０°以下とされていることを特徴とする。
【００１５】
これらの発明では、前記対応部分が前記凹凸部とされているので、前述した周囲環境上および衛生上良好な缶蓋を提供することが可能になるのみならず、内容物を環状溝部の前記対応部分を介して前記開口部から流出させるときに、前記凹凸部によりこの内容物の流れが乱されることになる。従って、この内容物がビールの場合に、前記流れの乱れによって、ビールを泡立たせることが可能になり、顧客吸引力を具備する缶蓋を提供することができる。
【発明の効果】
【００１６】
本発明に係る缶蓋によれば、缶の内容物をその残存量が最小限に抑制されるように飲み干す、あるいは注ぐことができるとともに、衛生上好ましい缶蓋を提供することができる。また、缶内圧の上昇による角出しの発生個所を制御することが可能になり、内容物の噴出を防止することができる。さらに、特に内容物がビールの場合に、これを他の容器に注ぐ等するときに、この内容物を泡立たせることが可能になり、顧客吸引力を具備させることができる。
【発明を実施するための最良の形態】
【００１７】
以下、図面を参照し、この発明の実施の形態について説明する。
図１から図３は、この発明の一実施形態として示した缶蓋の概略構成、およびこの缶蓋を缶体の開口端部に固着させた缶を示すものである。
この缶蓋１０は、アルミニウム若しくはアルミニウム合金により形成され、中央部を占めるとともに、円板状に形成されたセンターパネル部１１と、該センターパネル部１１の外周縁に連設された環状溝部１２と、該環状溝部１２の外周縁部から径方向外方へ向けて立上がるチャック壁部１３と、該チャック壁部１３の外周縁に連設され、その末端部が径方向内方へ向けて下方に折り曲げられたシーミングパネル部１４とを備えている。また、センターパネル部１１の上面に、上方に向って凸とされたリベット１５と、スコア１６により画成された開口部１７とが形成され、該開口部１７の上に一端部１８ａ側が重なるようにリベット１５に固着されたタブ１８を備えている。
以上の構成において、シーミングパネル部１４が有底筒状とされた缶本体３０の開口端部に巻き締められて缶３１が構成されている。
【００１８】
タブ１８の他端部１８ｂには、このタブ１８の厚さ方向に開口したフィンガーホール１８ｃが形成されており、このフィンガーホール１８ｃを画成する周壁部のうち、タブ１８の前記他端に位置する周壁部が、この缶蓋の開口部１７を開口させる際に引き上げる引き上げ部１８ｄとされている。
センターパネル部上面１１ａにおいて、タブ１８を挟んだ開口部１７の反対側には、環状溝部１２とは独立して、少なくともタブ１８の引き上げ部１８ｄと接する位置に指かけ凹部１１ｂが形成されている。
【００１９】
また、センターパネル部上面１１ａに２つのディンプル１９が形成されており、これらのディンプル１９はそれぞれ、開口部１７の周方向における中央部とリベット中心軸Ｏとを結ぶ直線を挟んで互いが対向するように形成され、これらのディンプル１９の上に、タブ１８のフィンガーホール１８ｃを画成する周壁部のうち、引き上げ部１８ｄと対向配置された第２周壁部の両端部の下面側が配置された構成となっている。すなわち、ディンプル１９はタブ１８の他端部１８ｂにおける下面側外縁部が引っ掛かる位置に形成されており、これにより、タブ１８にリベット中心軸Ｏを中心に回転しようとする力が作用した場合でも、タブ１８の前記外縁部がディンプル１９に引っ掛かり、このタブ１９の回転移動を防止できるようになっている。
【００２０】
さらに本実施形態では、環状溝部１２のうち、少なくとも開口部１７と対応する対応部分２１（図１におけるハッチング部分）は、缶蓋１０の上面における溝深さが該対応部分２１を除く他部より浅くされるとともに、センターパネル部１１の下面からの突出長さが前記他部より小さくされている。特に、前記対応部分２１は、その周方向の長さが、開口部１７を環状溝部１２に投影したときの投影領域２２における周方向の長さより大きくされ、前記対応部分２１の周方向における両端部は、前記投影領域２２よりその周方向における外方に位置されるように、環状溝部１２に配されている。つまり、前記投影領域２２は前記対応部分２１内に含まれた構成となっている。
【００２１】
また、前記対応部分２１は、環状溝部１２のうち、リベット中心軸Ｏと開口部１７の周方向中央部とを結ぶ基準線Ｌを基準に、リベット中心軸Ｏを中心とした０°より大きく４５°以下の領域に配置されている。換言すれば、リベット中心軸Ｏと、前記対応部分２１の周方向における両端部とをそれぞれ結ぶ直線が、センターパネル部上面１１ａに沿った方向でなす角度が、９０°以下とされて形成されている。また、前記対応部分２１は、前記他部との前記溝深さの差および前記突出長さの差が、０．３ｍｍ以上１．８ｍｍ以下とされている。そして、前記対応部分２１は環状溝部１２に連続して配された構成となっている。
【００２２】
これに加えて本実施形態では、環状溝部１２のうち、リベット中心軸Ｏを挟んで前記対応部分２１と対向する対向部分２３（図１におけるハッチング部分）も、前記対応部分２１と同様に、溝深さがこれら２１、２３を除く環状溝部１２（以下、単に「他の部分」という）より浅くされ、具体的には前記対応部分２１の溝深さおよび前記突出長さと略同一とされている。なお、環状溝部１２において、対応部分２１および対向部分２３の溝深さと前記他の部分の溝深さとの差は、前述したように、対応部分２１および対向部分２３の前記突出長さと前記他の部分の前記突出長さとの差と同一とされており、つまり対応部分２１および対向部分２３におけるセンターパネル部１１の下面は、缶蓋１０の上面における溝深さが浅くなった分だけ、図２に示すように凹んだ状態となっている。
【００２３】
以上説明したように、本実施形態の缶蓋１０によれば、前記対応部分２１のセンターパネル部１１下面からの突出長さが、前記他の部分より小さくされているので、この缶蓋１０が固着された缶３１において、その内容物を飲んだり、別の容器に注ぐ際に、この内容物が環状溝部１２の下面によって、図３に示すようにせき止められることを最小限に抑制することができる。従って、内容物の残存量を抑えることが可能になり、この缶３１を廃棄する場所の周囲環境が悪化することを抑制することができる。また、前記対応部分２１の缶蓋１０上面における溝深さが、前記他の部分より浅くされているので、内容物を飲む際に、特に複数回少量ずつ飲む際に、環状溝部１２に溜まる内容物の量を最小限に抑えることができ、衛生上良好な缶蓋を提供することができる。
【００２４】
さらに、前記対応部分２１の周方向における両端部が、開口部１７を環状溝部１２に投影したときの投影領域２２の周方向における外方に位置されているので、未開封状態にある缶内圧が過度に上昇しても、内容物が噴出することを抑制することができる。すなわち、環状溝部１２に前記対応部分２１を配したことにより、缶蓋１０上面のうち、最も角出しが発生し易い個所が前記対応部分２１の周方向における両端部となり、また、この両端部を前記投影領域２２の周方向における外方に位置させているので、角出しの発生によって前記スコア１６が破断され、その内容物が噴出することを抑制することができる。
【００２５】
さらに本実施形態では、環状溝部１２に前記対応部分２１のみならず前記対向部分２３も配されているので、前述した作用効果に加えて、この缶蓋１０が固着された未開封状態にある缶３１において、缶内圧が過度に上昇した際、まず前記対応部分２１および前記対向部分２３のいずれか一方の両端部に角出しが発生し、その後、さらに缶内圧が上昇すると、缶蓋１０はその内圧に耐えることなく、他方の両端部に角出しが発生することになる。その結果、缶蓋１０の上面の略全体が缶軸方向上方へ膨出し、缶内部の体積が増大するので、その内圧を低下させることが可能になり、缶蓋１０が破断して、内容物が噴出することを確実に防止することができる。つまり、一旦角出しが発生した後に、缶蓋１０がこの形状を維持するように内圧に耐えようとすると、前記角出しの部分が破断して内容物が噴出し易くなるが、本実施形態では、缶蓋１０を内圧に耐えさせることなく、良好かつ確実に膨出変形させることが可能になる。
【００２６】
なお、前記対向部分２３を環状溝部１２に配しなくても、さらに前記投影領域２２を前述のように前記対応部分２１内に含ませなくても、前述した作用効果のうち、周囲環境上および衛生上良好な缶蓋を提供することは可能である。また、この周囲環境上および衛生上良好な缶蓋とするには、環状溝部１２において、前記対応部分２１と前記他の部分との前記溝深さの差および前記突出長さの差を０．３ｍｍ以上１．８ｍｍ以下とするとともに、環状溝部１２において、前記対応部分２１を、前記基準線Ｌに対して、リベット中心軸Ｏを中心とした角度０°より大きく４５°以下の範囲に連続して配していれば足り、換言すれば、リベット中心軸Ｏと、前記対応部分２１の周方向における両端部とをそれぞれ結ぶ直線が、センターパネル部上面１１ａに沿った方向でなす角度が、９０°以下とされて前記対応部分２１が形成されていれば足り、前記実施形態のように、前記投影領域２２を前記対応部分２１内に含ませる必要はない。
【００２７】
次に、本発明に係る第２実施形態について図４に従い説明するが、前記実施形態と同様の部位には同一の符号を付しその説明は省略する。本実施形態の缶蓋４０は、環状溝部１２のうち、少なくとも開口部１７と対応する対応部分４１が、該対応部分４１を除く他部の、溝深さおよびセンターパネル部１１の下面からの突出長さと略同一された凹部４２と、前記他部より溝深さが浅く、かつ前記突出長さが小さくされた凸部４３（図４に示すハッチング部分）とが交互に連設された凹凸部４４とされているものである。
【００２８】
そして、前記凸部４３と前記凹部４２との前記溝深さの差および前記突出長さの差は０．３ｍｍ以上１．８ｍｍ以下とされ、前記対応部分４１は、リベット中心軸Ｏと開口部１７の周方向中央部とを結ぶ基準線Ｌに対して、リベット中心軸Ｏを中心とした角度０°より大きく４５°以下の範囲に配置されている。換言すれば、リベット中心軸Ｏと、前記対応部分４１の周方向における両端部とをそれぞれ結ぶ直線が、センターパネル部上面１１ａに沿った方向でなす角度が、９０°以下とされている。
【００２９】
以上説明したように、本実施形態の缶蓋４０によれば、前記対応部分４１が前記凹凸部４４とされているので、前述した周囲環境上および衛生上良好な缶蓋４０を提供することが可能になるのみならず、内容物を環状溝部１２の前記対応部分４１を介して開口部１７から流出させるときに、前記凹凸部４４によりこの内容物の流れが乱されることになる。従って、この内容物がビールの場合に、前記流れの乱れによって、ビールを泡立たせることが可能になり、顧客吸引力を具備する缶蓋４０を提供することができる。
なお、環状溝部１２の全周を前記凹凸部４４としてもよい。
【産業上の利用可能性】
【００３０】
缶の内容物をその残存量が最小限に抑制されるように飲み干す、あるいは注ぐことができるとともに、衛生上好ましい缶蓋を提供することができ、また缶内圧の上昇による内容物の噴出を防止することができ、さらに顧客吸引力を具備させることができる。
【図面の簡単な説明】
【００３１】
【図１】本発明の缶蓋の第１実施形態として示した缶蓋の平面図である。
【図２】図１に示す缶蓋を対応部分側若しくは対向部分側から見た側面図である。
【図３】図１に示す缶蓋を缶体の開口端部に巻き締めた缶において、その内容物を略飲み干したとき、あるいは注ぎ尽くしたときの状態を示す一部拡大断面側面図である。
【図４】本発明の缶蓋の第２実施形態として示した缶蓋の平面図である。
【符号の説明】
【００３２】
１０、４０缶蓋
１１  センターパネル部
１２  環状溝部
１３  チャック壁部
１４  シーミングパネル部
１５  リベット
１６  スコア
１７  開口部
１８  タブ
１８ａ  一端部
２１、４１  対応部分
２２  投影領域
２３  対向部分
４２  凹部
４３  凸部
４４  凹凸部
Ｌ  基準線（センターパネル部の径方向中央部と開口部の周方向中央部とを結ぶ直線）
Ｏ  リベット中心軸（缶蓋上面の径方向中央部）
【図１】
2006069570.tif 000003
【図２】
2006069570.tif 000004
【図３】
2006069570.tif 000005
【図４】
2006069570.tif 000006